(57)【要約】【課題】エレベータの利用者や荷物などが、不意に筐体の側面にぶつかって操作盤を破損する可能性を低減することができるエレベータ用操作盤を得ることを目的とする。【解決手段】筐体のせりだしを大きくしても、エレベータの利用者や荷物などが、不意に筐体１にぶつかる可能性を低減するため、筐体１の側面のうち、エレベータの壁面より最も突出している部分に手摺４を設けるようにする。これにより、エレベータの利用者や荷物などが、不意に筐体１の側面にぶつかって操作盤を破損する可能性を低減することができる。【選択図】図１
2009280387.tif 000002
【特許請求の範囲】
【請求項１】
エレベータの壁面に取り付けられる筐体と、上記筐体の表面に実装されるエレベータ操作用ボタンとを備えたエレベータ用操作盤において、長手方向が水平方向である手摺が上記筐体の側面に設けられていることを特徴とするエレベータ用操作盤。
【請求項２】
筐体の表面の全部又は一部が上向きの斜面であり、その上向きの斜面にエレベータ操作用ボタンが実装されていることを特徴とする請求項１記載のエレベータ用操作盤。
【請求項３】
筐体の側面のうち、エレベータの壁面より最も突出している部分に手摺が設けられていることを特徴とする請求項１または請求項２記載のエレベータ用操作盤。
【発明の詳細な説明】
【技術分野】
【０００１】
この発明は、エレベータを操作するエレベータ操作用ボタンを実装しているエレベータ用操作盤に関するものである。
【背景技術】
【０００２】
エレベータを利用する利用者の背が低い場合や、車椅子利用者である場合、エレベータ用操作盤が高い位置に取り付けられていると、利用者の手が操作ボタンに届かない可能性があるため、低い位置に取り付けられることがある。
しかし、エレベータ用操作盤が低い位置に取り付けられると、背が高い利用者は操作ボタンを押しづらくなる。
また、利用者が視覚障害者である場合、触覚を得るために、しゃがみ込む必要がある。
【０００３】
そこで、エレベータ用操作盤が低い位置に取り付けられても、背が高い利用者や視覚障害者の操作性を損なうことがないようにするため、エレベータ用操作盤の筐体の一部をせりだすことにより、エレベータ用操作盤の表面の一部を上向きの斜面にして、その上向きの斜面に操作ボタンを配置しているものがある（例えば、特許文献１を参照）。
【０００４】
【特許文献１】特許第２５０８３６３号（図１）
【発明の開示】
【発明が解決しようとする課題】
【０００５】
従来のエレベータ用操作盤は以上のように構成されているので、表面の一部を上向きの斜面にして、その上向きの斜面に操作ボタンを配置すれば、低い位置に取り付けられても、背が高い利用者や視覚障害者の操作性の劣化を防止することができる。しかし、表面の一部を上向きの斜面にするには、筐体の一部をせりだす必要があり、数多くの操作ボタンが実装されている面積が大きな表面の場合、そのせりだしが特に大きくなる。このように、せりだしを大きくすると、エレベータの利用者や荷物などが、不意に筐体の側面にぶつかって操作盤を破損する可能性が高まる課題があった。
【０００６】
この発明は上記のような課題を解決するためになされたもので、エレベータの利用者や荷物などが、不意に筐体の側面にぶつかって操作盤を破損する可能性を低減することができるエレベータ用操作盤を得ることを目的とする。
【課題を解決するための手段】
【０００７】
この発明に係るエレベータ用操作盤は、長手方向が水平方向である手摺が筐体の側面に設けられているようにしたものである。
【発明の効果】
【０００８】
この発明によれば、長手方向が水平方向である手摺が筐体の側面に設けられているように構成したので、エレベータの利用者や荷物などが、不意に筐体の側面にぶつかって操作盤を破損する可能性を低減することができる効果がある。
【発明を実施するための最良の形態】
【０００９】
実施の形態１．
図１はこの発明の実施の形態１によるエレベータ用操作盤を示す斜視図であり、図において、筐体１はエレベータの壁面に取り付けられており、筐体１の下端部がせりだされて、表面の一部が上向きの斜面１ａになっている。
エレベータ操作用ボタン（以下、「操作ボタン」と称する）２は利用者がエレベータを操作する際にタッチするボタンであり、筐体１の表面のうち、上向きの斜面１ａに実装されている。
【００１０】
点字ブロック３は操作ボタン２の操作内容を示しており、その操作ボタン２の近傍に施されている。
図１では、点字ブロック３が設けられている例を示しているが、点字ブロック３が設けられない場合もある。
長手方向が水平方向である手摺４は筐体１の側面のうち、エレベータの壁面より最も突出している部分に設けられている。
図１の例では、一本の手摺４が筐体１を貫通するように設置されている。
【００１１】
次に動作について説明する。
上述したように、エレベータ用操作盤が低い位置に取り付けられても、背が高い利用者や視覚障害者の操作性を損なうことがないようにするため、エレベータ用操作盤の筐体の一部をせりだすことにより、エレベータ用操作盤の表面の一部を上向きの斜面にして、その上向きの斜面に操作ボタンを配置しているものがある。
【００１２】
上向きの斜面に操作ボタンが配置されている場合、床面に垂直な表面に操作ボタンが配置されている場合と異なり（図２（ａ）を参照）、背が高い利用者であっても、楽な姿勢で操作ボタンを操作することができる（図２（ｂ）を参照）。
しかし、表面の一部を上向きの斜面にするには、筐体の一部をせりだす必要があり、数多くの操作ボタンが実装されている面積が大きな表面の場合、そのせりだしが特に大きくなる。
筐体の一部のせりだしを大きくすると、図３に示すように、エレベータの利用者や荷物などが、不意に筐体の側面にぶつかってエレベータ用操作盤を破損する可能性が高まる。
【００１３】
そこで、この実施の形態１では、筐体のせりだしを大きくしても、エレベータの利用者や荷物などが、不意に筐体１の側面にぶつかる可能性を低減するため、筐体１の側面のうち、エレベータの壁面より最も突出している部分に手摺４を設けるようにしている。
手摺４をエレベータの壁面より最も突出している部分に設置すると、図４に示すように、手摺４の存在によって、エレベータの利用者や荷物などが、筐体１の側面に近づくことが困難になるので、不意に筐体１の側面にぶつかって操作盤を破損する可能性を低減することができる。
【００１４】
以上で明らかなように、この実施の形態１によれば、長手方向が水平方向である手摺４が筐体１の側面に設けられているように構成したので、エレベータの利用者や荷物などが、不意に筐体１の側面にぶつかって操作盤を破損する可能性を低減することができる効果を奏する。
エレベータの出入口に向かって左右の壁面に操作盤を配置し、奥行き方向に手摺４を設けると、特に効果がある。即ち、利用者や荷物の移動方向に操作盤がある場合に利用者等がぶつかるという問題を生じ易いが、奥行き方向に手摺４を設けることで、その問題を解決することができる。また、車椅子の利用者を滑らかに誘導することができる効果もある。
さらに、手摺４を筐体１の側面に取り付けたため、手摺４を利用する視覚障害者等の利用者を操作盤まで安全に誘導することができるとともに、利用者は手摺４を持って安定した状態で操作ボタン２を操作することができる。また、手摺４を筐体１の側面に取り付けたことにより、手摺４にかかる加重を支え、エレベータの壁面に取り付けるための部品点数を減らすことができる。
なお、上述したように、手摺４を筐体１の側面に取り付けた構成は、操作ボタン２が上向きの斜面１ａに形成されない操作盤にも適用することができ、同様の効果を得ることができる。
ここで述べた効果は、後述する実施の形態２〜５でも得られる。
【００１５】
実施の形態２．
上記実施の形態１では、一本の手摺４が筐体１を貫通するように設置されているものについて示しているが、手摺４が加重を受けたとき、その加重が筐体１に及ぼさない構造であれば、一本の手摺４が筐体１を貫通するように設置されている構造である必要はない。
図５は筐体１の両脇に二本の手摺４を別々に設置している例を示している。
【００１６】
実施の形態３．
上記実施の形態１では、手摺４の前面が丸みを帯びている形状のものを示したが、手摺４の形状を特に限定するものではなく、例えば、棒状の手摺４でも、板状の手摺４でもよい。
図６は棒状の手摺４を用いている例を示しており、図７は板状の手摺４を用いている例を示している。
【００１７】
実施の形態４．
上記実施の形態１〜３では、特に言及していないが、手摺４の端部はエレベータの他の壁面（操作盤が取り付けられていない壁面）と接触していてもよいし（例えば、図６の手摺４は、端部がエレベータの他の壁面に埋め込まれている）、エレベータの他の壁面と離れていてもよい（例えば、図１を参照）。
【００１８】
手摺４の端部がエレベータの他の壁面と離れている場合において、例えば、手摺４の長さが短い場合には、図８（ａ）に示すように、手摺４の端部に角度を付けて、手摺４の端部が斜めになるようにしてもよい。
図８（ａ）の例では、手摺４の端部がα度（約４５度）の角度のものを示しているが、この角度は特に限定するものではない。
手摺４の端部を斜めにしていると、手摺４の端部が９０度に折り曲げられている場合と比べて（図８（ｂ）を参照）、仮に、エレベータの利用者が、手摺４の端部にぶつかっても、利用者への衝撃を軽減することができる。
また、図８（ｃ）に示すように、筐体１の片側のみに手摺４が設けられていてもよい（手摺４が設けられていない側は壁に近い場合など）。
また、図８（ｄ）に示すように、片方の手摺４のみが、端部が斜めになるようにしてもよい。
【００１９】
実施の形態５．
上記実施の形態１〜４では、筐体１の側面の形状が三角形状している例を示しているが、筐体１の側面の形状は特に限定するものではない。
図９は筐体１の側面の形状例を示す説明図である。
【図面の簡単な説明】
【００２０】
【図１】この発明の実施の形態１によるエレベータ用操作盤を示す斜視図である。
【図２】利用者が操作ボタンを操作している様子を示す説明図である。
【図３】エレベータの利用者や荷物などが、不意に筐体にぶつかる様子を示す説明図である。
【図４】エレベータの利用者や荷物などが、不意に筐体にぶつかる可能性が少ないことを示す説明図である。
【図５】筐体１の両脇に二本の手摺４を別々に設置している例を示す斜視図である。
【図６】棒状の手摺４を用いている例を示す斜視図である。
【図７】板状の手摺４を用いている例を示す斜視図である。
【図８】手摺４の端部が斜めになっている例を示す上面図である。
【図９】筐体１の側面の形状例を示す説明図である。
【符号の説明】
【００２１】
１  筐体、１ａ  上向きの斜面、２  操作ボタン（エレベータ操作用ボタン）、３  点字ブロック、４  手摺。
【図１】
2009280387.tif 000003
【図２】
2009280387.tif 000004
【図３】
2009280387.tif 000005
【図４】
2009280387.tif 000006
【図５】
2009280387.tif 000007
【図６】
2009280387.tif 000008
【図７】
2009280387.tif 000009
【図８】
2009280387.tif 000010
【図９】
2009280387.tif 000011